(57)【要約】      （修正有）【課題】土止めを必要としない低掘削溝内におけるガス管や水道管等の配管接続工事において、管の接続部分に掘削溝の壁面や地表の小さな砂利等が風や作業員との接触により混入付着するのを防止することができ、構造が極めて簡単で扱いやすいカプセル型防砂塵装置を提供する。【解決手段】耐熱性、耐水性、耐候性、静電気帯電防止効果等に優れた強靭なシートを縦長に裁断し、その中央部分にトップフレーム４を取付け、その左右の両側及び中央部分に設けたスリープにアーチフレーム２を挿入してトップフレーム４の接合部分に嵌合固定し、しかる後シートの片方を反対側に向けて引き起こして逆Ｕ字状のアーチを形成し、掘削溝の幅に合わせて固定ベルト６で固定して組み立て、組み立てを完了した状態で掘削溝の設定場所に移動し、上方から降下させ、しかる後固定ベルト６を外してシート部分が掘削溝の壁に密着して設定を完了する。【選択図】図４
0003184897.tif 000002
【実用新案登録請求の範囲】
【請求項１】
耐熱性、耐水性、耐候性、静電気帯電防止効果等に優れた強靭な防砂塵シートの中央部分に、端縁及び中央に接合部を有するトップフレームを取付け、シートの両側縁部及び中央に設けたスリープ若しくはフレーム固定部にアーチフレームを挿入してトップフレームの接合部分に嵌合固定し、しかる後シートの片方を反対側に向けて引き起こして逆Ｕ字形のアーチを形成し、掘削溝の幅に合わせて固定ベルトで仮固定できるようにしたことを特徴とするカプセル型防砂塵装置。
【請求項２】
接合部の数を２個あるいは３個以上に増やしそれに対応して、スリープ、トップフレーム等の数を増減したことを特徴とする請求項１記載のカプセル型防砂塵装置。
【請求項３】
接合部分の数を２個としたトップフレームとそれに対応したスリープ、アーチフレーム等で構成した防砂塵装置の１端縁に接続用のシートを連結したことを特徴とする請求項１記載のカプセル型防砂塵装置。
【考案の詳細な説明】
【技術分野】
【０００１】  本考案は、土止めを必要としない低掘削溝内におけるガス管や水道管等の配管接続工事において、管の接続部分に掘削溝の壁面や地表の小さな砂利等が風や作業員との接触により混入付着するのを防止するカプセル型の防砂塵装置に関し、断面形状が逆Ｕ字状のカプセル型の防砂塵装置を掘削溝に嵌合させ、地表部より飛散する砂利はもとより壁面と作業員とが接触しても小石等が飛散するのを防止することができる装置である。
【背景技術】
【０００２】  上下水道やガス管敷設工事のように小規模な溝掘削作業においても溝の深さが１．５ｍを超える場合は矢板掘削が原則とされ、また、１．５ｍ未満の場合でも土質等により崩落等の危険性がある場合には同様の措置を施すよう規定されている。【０００３】  １．５ｍ未満の低掘削溝で矢板等の土止め工事が省略され、しかも、掘削幅が狭い場合には、壁面と作業員とが接触して埃や小砂利等が飛散し、配管の接続部分に付着して支障が生じるケースが多々発生しており、特に市街地の狭い道路における配管工事では、その対策が緊急に求められている。【０００４】  従来屋外の工事現場で作業能率の向上とか建築中の建物の養生のための工事用簡易テントとして技術が公開昭和６０−１１５３４３号公報で公開されている。  この考案の対象は、掘削溝の中ではなく、広い平坦な工事現場を想定し、支柱等地面に固定された状態でのテントであり、その目的も構成が簡単で組み立作業が容易であることを主たる目的とし、その構成も一対の支柱とこれら支柱間に配列される複数の可撓性ロッドとこれらロッドに張設される可撓性幕体、この幕体を補強する補強用テープ、この補強用テープの端部に接続されて各支柱に掛装される展張用ロープ、前記ロッドを撓ませてその両端部を連結固定する複数の足場材など多数の部品で構成されており、本願考案とはその目的を本質的に全く異にした考案であり、しかも多くの構成部品を必要とし、組み立て作業も複雑で、本願の対象とする低掘削溝内のような作業現場には全く適していないことは明白である。【０００５】  また、実公平７−９９６９号は掘削溝内の工事用テントに関するものであるが、掘削溝内に張設した工事用テント内に換気扇を取付けて溶接ヒュームや粉塵を外部に排出して作業環境を良好に維持すること及び設置や撤去容易にすることなどを主たる目的とした考案であり、その構造も、軸着用の金具の中央に貫通孔を設け、この貫通孔に換気扇を止着して換気扇を金具に止めたままテントを折りたたむことができる構造とするなど本願とは構造を全く異にした考案であることは明白である。【０００６】  また、実開昭６２−１８９４６３は組立、収納及び運搬が簡単な折畳みテントを提供することを目的としたものであるが、構造的には傘のように中央部に支柱を立てる構造となっているので、本願防砂塵装置が対象としている低掘削溝の幅は、一般的に作業員がやっと通れるくらいの狭い場所が主体であり、当該折畳テントを使用することは不可能であり対象外の考案である。【０００７】  以上３件の技術文献に記載されている考案はいずれもその目的及び構造から本発明のように水道及びガス管を対象とした低掘削溝内での配管接合時に、風で飛ばされた塵や掘削壁と作業員の身体的接触により剥離した小砂利等が配管の接合部分へ付着するのを防止することを目的としたものでないことは明白であり、本願と同一若しくは類似の先行技術は見当たらなかった。
【考案の概要】
【考案が解決しようとする課題】
【０００８】  本考案は、上記のように、低掘削溝内における水道及びガス管等の地中配管接続工事の際に、管の接続部分に掘削溝の壁面や地表の小さな砂利や粉塵等が配管接合部に混入付着するのを簡単に防止できるとともに、直線状の掘削溝はもとより、９０度屈曲した掘削溝にも対応でき、しかも、その構造が極めて簡単で、軽量にして移動、設置、操作が容易な防砂塵装置を提供するためになされたものである。
【課題を解決するための手段】
【０００９】  本考案は、上記目的を達成するために、耐候性、耐熱性、耐火性及び静電気帯電防止効果等に優れた素材でできたシートを利用し、軽量で強靭な可撓性に富む金具を組み合わせてカプセル状に組み立てることができ、しかも、当該防砂塵装置は掘削溝内に作業員１名で簡単に設置できるとともに、作業員はカプセルの中で異物の混入しない適合性の高い作業を安心して実行できるなどの特徴を有している。【００１０】  その構造は、耐熱性、耐水性、耐候性、静電気帯電防止効果等に優れた強靭なシートを縦長に裁断し、その中央部分にトップフレームを取付け、その左右の両側及び中央部分に設けたスリープにアーチフレームを挿入してトップフレームの接合部分に嵌合固定し、しかる後シートの片方を反対側に向けて引き起こして逆Ｕ字状のアーチを形成し、掘削溝の幅に合わせて固定ベルトで固定して組み立てを完了する。
組み立てを完了した状態で掘削溝の設定場所に移動し、上方から降下させ、しかる後固定ベルトを外してシート部分が掘削溝の壁に密着して設定を完了する。
【考案の効果】
【００１１】  当該防砂塵装置は、構造が簡単でしかも組み立てが容易であるから作業員１名で自由に設置でき、直線状の掘削溝はもとより、任意の角度の掘削溝に対応して、飛散する粉塵や雨あるいは掘削溝の壁面と作業員の身体の接触等によって落下する土や小砂利等の粉塵が工事中の配管の接続部へ混入付着したり管内へ侵入するのを簡単に防止することができる。
【考案を実施するための最良の形態】
【００１２】    以下、発明の実施例を図１〜図５に基いて詳述する。
図１は耐熱性、耐水性、耐候性、静電気帯電防止効果等に優れた繊維、例えばポリエステル繊維の織物の表面を塩化ビニール、フッ素あるいはアクリル等の樹脂で加工したり、放電効果のある炭素繊維や特殊金属を錬りこんだ防砂塵シート（１）を３０００ｍｍ×１５００ｍｍ位に裁断し、その中央部分に両端及び中央にアーチフレーム（２）嵌合用の接合部（３）を備えたトップフレーム（４）を取付け、防砂塵シート（１）のトップフレーム（４）を挟んだ上下部分の両側端縁及び中央部分に設けたスリーブ（５）に軽量で強靭なアーチフレーム（２）を挿入して接合部（３）にそれぞれ嵌合し、しかる後、図３に示すように防砂塵シート（１）の片側を反対側（→印方向）に向けて引き起こして逆Ｕ字形のアーチを形成し、掘削溝（Ａ）の幅に合わせて、固定ベルト（６）で仮止めして組み立てを完了する。【００１３】  アーチ状に組み立てた防砂塵装置（Ｂ）を掘削溝（Ａ）の設定位置の上方から降下させたのち固定ベルト（６）を取り外すとアーチフレーム（２）の弾発力で防砂塵シート（１）は壁面に密着する。
なお、防砂塵シート（１）を移動する場合には再度固定ベルト（６）で固定する。  図面中（７）は防砂塵シート（１）の振れを防止するために両端部及びトップフレーム（４）を挟んだ上下中央部にそれぞれ設けたスリーブ（５）に挿入固定した金属あるいはプラスチック棒等で形成した固形物を示す。  また、トップフレーム（４）は防砂塵シート（１）にスリーブ（５）若しくは固定用テープ等を利用して固定する。【００１４】  また、当該防砂塵装置（Ｂ）を屈曲した場所で使用する場合には、図５に示す接合部（３）を２か所に設けたトップフレーム（４‘）を利用した小型の防砂塵装置の端縁にシート片（８）を取付けたシート片付の防砂塵装置（Ｂ’）と防砂塵装置（Ｂ）を該シート片（８）を介して連結する。  連結方法はマジックテープや紐類等任意の方法（図略）による。  なお、当該カプセル型防砂塵装置は、アーチフレームの長さと強度を調整することにより、相当幅の広い掘削溝にも対応できることは勿論である。【００１５】  当該防砂塵装置は、前記のように構成されているので、構造が極めて簡単で組み立ても容易であり、直線状の掘削溝はもとより、４５度、９０度等任意の角度の掘削溝にも対応して設置できるので、降雨や上空から飛散する粉塵はもとより、掘削溝の壁面と作業員の身体の接触等によって落下する土や小砂利等の粉塵が工事中の配管の接続部へ付着したり管内へ侵入するのを簡単に防止することができるなどの優れた作用効果を有する。
【図面の簡単な説明】
【００１６】
【図１】防砂塵装置（Ｂ）の斜視図
【図２】各種構成部材の斜視図
【図３】組み立て経過を示す斜視図
【図４】防砂塵装置（Ｂ）を掘削溝に設置した状態を示す斜視図
【図５】シート片付の防砂麈装置（Ｂ‘）の斜視図
【符号の説明】
【００１７】Ａ  掘削溝
Ｂ、Ｂ‘  防砂塵装置
１  防砂塵シート
２  アーチフレーム
３  接合部
４、４‘  トップフレーム
５  スリーブ
６  固定ベルト
７  固形物
８  シート片
【図１】
0003184897.tif 000003
【図２】
0003184897.tif 000004
【図３】
0003184897.tif 000005
【図４】
0003184897.tif 000006
【図５】
0003184897.tif 000007